(57)【特許請求の範囲】
【請求項１】
位置に応じて異なるユーザ速度での移動電話の動作を可能にする通信システムの動作方法であって、ユーザエンドのローカル固定局が、前記固定局に割り当てられた移動電話によって受信される制限された範囲の符号化された第１の信号を、前記移動電話が前記第１の信号の範囲内にあるという条件で送信し、前記移動電話が、前記第１の信号の受信に応じて、第２の信号を、通信システムの基地局に送信し、前記基地局は、前記第２の信号の受信に応じて、ホーム区域ユーザ速度に切り換え、前記第１の信号は、クロック速度で送信され、前記第２の信号は、間隔をおいて複数回連続的に又は連続的に送信され、前記基地局は、前記第２の信号が受信されなくなったときは、他のユーザ速度に切り換えることを特徴とする通信システムの動作方法。
【請求項２】
前記基地局において前記ホーム区域ユーザ速度は、前記移動電話が前記第１の信号の範囲内に入りかつ前記第２の信号を送信するときに音声接続が存在する間に、切り換えられることを特徴とする請求項１に記載の方法。
【請求項３】
前記基地局において前記他のユーザ速度は、前記移動電話が前記第１の信号の範囲外に移動しかつ前記第２の信号が前記基地局に受信されないときに音声接続が存在する間に、切り換えられることを特徴とする請求項１に記載の方法。
【請求項４】
動作準備が整っている前記移動電話が前記第１の信号の範囲内にあると直ちに、又は、前記移動電話が前記第１の信号の範囲内にあるときに音声接続が確立される前に、前記第２の信号が、前記基地局に送信されることを特徴とする請求項１に記載の方法。
【請求項５】
前記移動電話の表示装置は、前記移動電話が前記第１の信号の範囲内にあるかどうかを表示することを特徴とする請求項１乃至４のいずれかに記載の方法。
【請求項６】
前記第１の信号は、Ｂｌｕｅｔｏｏｔｈ信号又はＤＥＣＴ信号であり、前記基地局又は前記移動電話の送信及び受信手段は、それに応じて備えられることを特徴とする請求項１に記載の方法。
【請求項７】
少なくとも一つの基地局及び移動無線ネットワーク内において動作可能な移動電話を有する移動無線ネットワークと、ユーザエンドに設けられて前記移動電話に関連するローカル固定局とを含む請求項１乃至９のいずれかに記載の方法を実行するシステムであって、
前記固定局は、制限された範囲の第１の信号を送信する送信手段を含み、
前記移動電話は、前記第１の信号のための受信手段を含み、
前記移動電話は、前記第１の信号の受信に応じて前記基地局に送信されるべき第２の信号のための送信手段を含み、かつ、前記基地局は、前記第２の信号の受信に応じて、前記移動電話によって前記移動無線ネットワークを使用するために第１のユーザ速度から第２のユーザ速度に切り換える手段を含み、
前記固定局の前記送信手段は、符号化された第１の信号を送信するように構成され、かつ、前記移動電話の前記受信手段は、符号化された第１の信号を受信するように構成されており、
前記第２の信号が発生しないときに前記基地局がホーム区域ユーザ速度に切り換えると、前記第１の信号のクロック送信が行われ、前記第２の信号のクロック送信又は連続送信が行われることを特徴とするシステム。
【請求項８】
前記第２の信号は、前記移動電話が前記第１の信号の範囲内にあるときに、音声接続の確立に応じて又は音声接続の間にのみ送信され、前記送信手段は、前記第２の信号が間隔をおいて複数回連続的に又は連続的に送信されるように構成され、前記基地局は、前記第２の信号が受信されなくなったときは、他のユーザ速度に切り換えることを特徴とする請求項７に記載のシステム。
【請求項９】
前記第１の信号の範囲への出入りが行われたときに、存在する音声接続は維持され、前記基地局における前記ユーザ速度は、前記第２の信号の受信又は不受信に応じて切り換えられることを特徴とする請求項７に記載のシステム。
【請求項１０】
前記移動電話の表示装置上に、前記移動電話が前記第１の信号の範囲内にあることを、少なくとも表示できることを特徴とする請求項７に記載のシステム。
【請求項１１】
前記第１の信号は、Ｂｌｕｅｔｏｏｔｈ信号又はＤＥＣＴ信号であり、前記基地局又は前記移動電話の前記送信手段及び前記受信手段は、それに応じて備えられることを特徴とする請求項７に記載のシステム。
【請求項１２】
前記固定局は、その電力供給のための電気的ネットワークへの接続と、前記固定局を動作させるための受信及び比較手段とを含み、前記電力供給の遮断後に前記移動電話を介してアクセスコードに入り、かつ、前記アクセスコードを前記固定局に送信することが可能であることを特徴とする請求項７乃至１１のいずれかに記載のシステム。
【請求項１３】
前記固定局は、好ましくはネットワークプロバイダによって動作させられる固定ネットワークへの接続と、それを介してイネーブルコードの送信による前記ネットワークプロバイダによる動作を前記固定局が可能とすることができる構成とを有することを特徴とする請求項７乃至１２のいずれかに記載のシステム。
【請求項１４】
前記固定局は、前記移動無線ネットワークを介して前記基地局により送信されることが可能なイネーブル信号を受信するための受信手段と、イネーブル装置とを含むことを特徴とする請求項７乃至１３のいずれかに記載のシステム。
【請求項１５】
請求項１乃至６のいずれかに記載された方法並びに請求項７乃至１４のいずれかに記載されたシステムに適している固定局であって、前記固定局は、制限された範囲の符号化された無線信号を送信するための送信手段を含み、前記固定局の前記送信手段は、前記符号化された無線信号のクロック送信又は連続送信のために構成されていることを特徴とする固定局。
【請求項１６】
前記固定局の前記送信手段は、Ｂｌｕｅｔｏｏｔｈ信号又はＤＥＣＴ信号を送信するように構成されており、前記受信手段は、Ｂｌｕｅｔｏｏｔｈ信号又はＤＥＣＴ信号を受信するように構成されていることを特徴とする請求項１５に記載の固定局。
【請求項１７】
前記固定局は、その電力供給のための電気的ネットワークへの接続と、前記固定局を動作させるための受信及び比較手段とを含み、前記電力供給の遮断後に前記移動電話を介してアクセスコードに入り、かつ、前記アクセスコードを前記固定局に送信することが可能であることを特徴とする請求項１５又は１６に記載の固定局。
【請求項１８】
前記固定局は、好ましくはネットワークプロバイダによって動作させられる固定ネットワークへの接続と、それを介してイネーブルコードの送信による前記ネットワークプロバイダによる動作を前記固定局が可能とすることができる構成とを有することを特徴とする請求項１５乃至１７のいずれかに記載の固定局。
【請求項１９】
前記固定局は、前記基地局によって発生させることができるイネーブル信号を受信するための受信手段と、イネーブル装置とを含むことを特徴とする請求項１５乃至１８のいずれかに記載の固定局。
【発明の詳細な説明】
【０００１】
【発明の属する技術分野】
本発明は、瞬間位置に応じて異なるユーザ速度での移動電話の動作を可能にする通信システムの動作方法に関するものである。
【０００２】
【従来の技術、及び、発明が解決しようとする課題】
高移動電話速度と著しく安い固定ネットワーク速度との間の目下の明白な差異は、移動電話のユーザがより高価な移動電話速度又はより好ましい固定ネットワーク速度のいずれかにより、即ち、ユーザの瞬間位置に依存して、移動電話をすることができる通信システムの開発をもたらした。このような公知のシステムは、ユーザエンドで局部的に設置され、ローカル区域にある移動電話を認識できるＧＳＭホーム基地局を含む。このような移動電話がローカル区域にある場合、ＧＳＭホーム基地局が接続される固定ネットワーク接続を介してより好ましい固定ネットワーク速度で電話をかけることができる。しかしながら、移動電話がローカル区域外にある場合、電話が、固定ネットワークを介してではなく、移動ネットワークを介して、より高価な移動電話速度で行われる。しかしながら、この点での条件は、移動電話ネットワークのオペレータがそれを介して動作モードに応じて電話をかけることができる固定ネットワークも動作させるべきであるということである。この公知のシステムは、移動電話がＧＳＭホーム基地局に十分近いために、固定ネットワークを介して行われる電話が、電話をかけ、移動電話を携帯する人がローカル区域を離れる場合に、遮断されるという問題も有する。これは、ＧＳＭホーム基地局がもはや移動電話を認識しない場合、無線ネットワークを介して電話をかけるべきであるためである。次に、電話をかける人は、もう一度接続を確立するように関連した電話番号に再度かけることを余儀なくさせられる。逆の場合、電話をかける人がローカル区域に入るときは、移動無線接続は、ＧＳＭホーム基地局に適当な近さにもかかわらず、確立されたままであり得る。しかしながら、通話がより高い移動電話速度でなお行われるので、システムにより提供される長所から得ることができる利益は全くない。ユーザがより安い固定ネットワーク速度を利用したいと望む場合、通話は再び終了され、再び確立されねばならない、即ち、固定ネットワーク接続を介して再び確立されねばならない。
【０００３】
本発明の目的は、前述の問題点を除去する方法を提供することにある。
【０００４】
【課題を解決するための手段】
この目的のために、本発明により示される種類の方法は、ユーザエンドのローカル固定局が、前記固定局に関連している移動電話によって受信される制限された範囲の第１の信号を、少なくともこの移動電話が送信信号の範囲内にあるという条件で送信し、かつ、前記移動電話が、前記第１の信号の受信に応じて、第２の信号を、前記第２の信号の受信に応じて異なるユーザ速度に切り換える通信システムの基地局に送信することを特徴とする。
【０００５】
本発明に係る方法によれば、ローカル固定局は、移動電話が固定局に十分に接近しているときに、移動電話によって受信される制限された範囲の信号を、送信する。移動電話が固定局に十分接近し、従って電気通信がより好ましいユーザに課金できる基地局のための情報は、その後移動電話そのものによって基地局に加えられる。この目的のために、移動電話は第２の信号を送信する。従って、この速度は、基地局によって前記第２の信号の受信の際に切り換えられる。この方法は、信号及び情報通信のための移動無線ネットワークを排他的に利用する。固定ネットワークは、この目的のために必要ではない。従って、この方法は、移動無線ネットワークを排他的に動作させるネットワークオペレータにとって特に好ましい。次に、このようなオペレータは、その加入者にその位置に応じて異なるユーザ速度の可能性を与える。さらに、本発明に係る方法によれば、単に適切なメッセージは移動電話を介して基地局に送信されるために、固定局信号の範囲に入るか又は固定局信号の範囲に残留している通話は、このような場合、中断されない。次に基地局は、関連するユーザ速度を選択する。前述のことは、移動無線ネットワークを介して並列に、即ち、ユーザによって通知されることなく行われる通話とは無関係に行われる。
【０００６】
固定局は、有利なことには、符号化された第１の信号を送信する。これは、固定局及び移動電話は信号コードを介して互いに結合されることを意味する。従って、固定局信号は、符号化された第１の信号を読み取る関連する移動電話によってのみ受信できる。第１の信号は、所定の時間間隔でクロックされるように送信されてもよいが、連続して送信されてもよい。
【０００７】
本発明のアイディアの更なる詳細によれば、第２の信号は、動作準備が整っている移動電話が第１の信号の範囲内にあるときは直ちに送信されてもよいし、又は、音声接続が確立されるべきであるか又は既に確立され且つ移動電話が第１の信号の範囲内にあるときにのみ、第２の信号が送信される。従って、本発明の第一の他のバージョンに関して、第２の信号は、音声接続が確立されるべきであるか又は既に確立されたかどうかの事実にかかわらず送信される。これは、基地局はどのような場合でも、移動電話が固定局に十分近いという情報を受信することを意味する。第二の他のバージョンに関して、第２の信号は、音声接続が確立されるべきであるか又は通話が既に行われ且つ移動電話が固定局に十分に接近している場合にのみ送信される。
【０００８】
第２の信号を基地局に送信するための代替例にかかわりなく、送信は、１回だけ、若しくは、規則的な間隔をおいて連続して多数回行うことができる。一方、第２の信号は、連続して出力されてもよい。
【０００９】
第２の信号がクロック方法により連続して数回送信されるか又は連続して送信される場合、基地局は、第２の信号の到達に基づいて、移動電話が固定局になお十分近くいるか否かを確認することができる。クロックの第２の信号が発生しないか又は連続送信モードの場合に遮断されたときは、電話をかける人は固定局の範囲外へ移動している。第２の信号が１回だけ送信されるときは、これが、移動電話が固定局のローカル区域に入るとき直ちに又は音声接続が確立されるときのみに行われるかどうかの事実にかかわりなく、移動電話が第３の信号を基地局に加えるときに、移動電話が第１の信号の範囲外にあるか又は第１の信号の範囲を離れる場合に、有利である。この場合、基地局は、移動電話によって発される第３の信号を介して、移動電話が固定局から十分離れているときに用いる適切なユーザ速度に再度切り換える必要がある情報を受信する。
【００１０】
ユーザにとって、移動電話の表示装置が少なくとも移動電話が第１の信号の範囲内にあることを表示すると有利であるので、ユーザは、より安いユーザ速度の通話が可能であることを認識できる。
【００１１】
第１の信号は、好ましくは無線信号である。好ましくは、適切なＢｌｕｅｔｏｏｔｈ通信インタフェースが移動電話に設けられるＢｌｕｅｔｏｏｔｈ信号の使用が行われる。移動電話においては、適当なＤＥＣＴ通信インタフェースと共にＤＥＣＴ信号を使用することもできる。
【００１２】
本発明は、この方法にだけでなく前述された方法を実行するのに適しているシステムにもまた関連し、少なくとも１つの基地局及び移動無線ネットワーク内において動作可能な移動電話を有する移動無線ネットワークと、ユーザエンドに設けられて前記移動電話に関連するローカル固定局とを含み、
固定局は、制限された範囲の第１の信号を送信する送信手段を含み、
移動電話は、第１の信号のための受信手段を含み、
移動電話は、第１の信号の受信に応じて基地局に送信されるべき第２の信号のための送信手段を含み、かつ、
基地局は、第２の信号の受信に応じて、移動電話によって移動無線ネットワークを使用するために第１のユーザ速度から第２のユーザ速度に切り換える手段を含む。
【００１３】
固定局の送信手段及び移動電話の受信手段は、符号化された第１の信号を送受信するように構成されてもよい。さらに、固定局の送信手段は、第１の信号のクロック送信モード又は連続送信モードを使用可能にしてもよい。
【００１４】
本発明のアイディアの更なる詳細によれば、移動電話の送信手段は、動作準備が整った移動電話による第１の信号の受信に応じて第２の信号を直接送信するように構成されていてもよい。一方、送信手段も、音声接続が確立されるべきであるか又は既に存在するとき及び移動電話が第１の信号の範囲内にあるときのみ、第２の信号を送信するように構成されていてもよい。この場合、第２の信号は、クロック方法により又は連続して、１回だけ、若しくは、連続して数回、送信することができる。
【００１５】
特に、第２の信号が１回だけ送信される場合、移動電話の送信手段が、第１の信号の範囲外の位置の場合又は第１の信号の範囲から離れる場合に、第３の信号を基地局に送信するように構成されていると有利である。
【００１６】
好ましくは、移動電話が第１の信号の範囲内にあることを移動電話の表示装置に少なくとも表示させることができる。所望ならば、ユーザがこの範囲外へ移動するときに、対応する表示も示される。これは、例えば、通話が適切な瞬間に行われるか否かの事実にかかわらず、固定局のローカル区域から離れていることを示す信号音等を移動電話に発生させることによってユーザに示すことができる。明らかに、移動電話のユーザにこの範囲に入っていることについて知らせるために、この信号音も使用できる。
【００１７】
固定局の送信手段及び移動電話の受信手段は、適当な通信インタフェースを利用している間、無線信号の形態の第１の信号、好ましくはＢｌｕｅｔｏｏｔｈ信号又はＤＥＣＴ信号をそれぞれ送受信するように構成されていてもよい。
【００１８】
システムの悪用を防ぐための保護を実現するために、固定局に電源のための主接続部を装備することは有利である。従って、固定局は、２２０Ｖリード線を介してのみ動作できるので、システムのユーザは、移動電話とともに固定局を持ち歩くことはできない。その結果として、移動電話は常に固定局の範囲内にある。固定局を動作させるために、少なくとも電源の遮断後も、移動電話を介して固定局に加えられるべきであるアクセスコードのための受信及び比較手段を固定局に備えることも有利である。固定局及び／又は移動電話に応じる第三者がこのアクセスコードを知らない場合、この第３者は、システムの不許可使用を行うことができない。
【００１９】
本発明の特に有利な他の実施形態では、固定局には、ネットワークオペレータにより動作させられるのが好ましい固定ネットワークに接続するための接続装置、及び、それを介して固定装置がネットワークオペレータ、即ち、イネーブルコードの送信によって動作させるために使用可能にすることができる装置も備えられていてもよい。本発明の本実施形態による固定局の動作は、ネットワークオペレータそれ自体により制御される。この目的のために、それを介してネットワークオペレータが固定局へ直接アクセスする固定ネットワーク接続の使用が行われる。固定局は、好ましくはネットワークオペレータそれ自体により動作させられるべきである。それとは別に、もちろん、ネットワークオペレータが他のネットワークオペレータにより動作させられる固定ネットワークを介して固定局にアクセスすることができる。
【００２０】
固定局は、さらに又はその代わりに、移動無線ネットワークを介して基地局によって供給できるイネーブル信号を受信する受信手段及びイネーブルのための装置も含む。
【００２１】
システムに加えて、本発明は、方法又はシステムとともに使用できる固定局にも関連している。固定局は、制限された範囲の符号化された無線信号を送信する送信手段を含むことを特徴とする。固定局の他の有利な実施形態は従属請求項に開示されている。
【００２２】
本発明の他の長所、特徴及び詳細は、図面に関して行われる実施形態の下記の説明から明らかになる。
【００２３】
【発明の実施の形態】
図面は、本発明に係るシステムの回路図及び本発明に係る固定局を示している。固定局１は、ユーザの場所即ち通常は建物に設置されている。固定局は、それを介して制限された範囲の信号３が送信される送信手段２を含む。この制限された範囲は大きな円Ｒで示される。この信号３は、好ましくは、無線信号、特にＢｌｕｅｔｏｏｔｈ信号である。この信号は、固定局１によって所定の瞬間のクロック方法により又は連続して送信されてもよい。
【００２４】
固定局１は、まだ記載されていない移動電話による動作を可能にするように送信されるアクセスコードを受信するために機能する受信手段４も含む。２２０Ｖリード線の主接続部は、固定局及びその構成要素の電源のために備えられている。固定装置１は、固定ネットワークの接続６も含んでいる。
【００２５】
このシステムは、矢印Ａによって示されるように範囲の中及び範囲の外へ移動できる移動電話７も含んでいる。回線図の形に示された移動電話は、固定局１によって送信される符号化信号３を、即ち移動電話７が範囲Ｒ内に有る限り、受信するために機能する受信装置８を含む。受信手段８は、そのような無線信号規格に相当する通信インタフェース、例えばＢｌｕｅｔｏｏｔｈインタフェース又はＤＥＣＴインタフェースを含む。
【００２６】
信号３が受信手段８を介して受信される場合、移動電話は、通信手段９を介して、信号１０を移動無線ネットワークの基地局１１に送信し、この信号１０は、第１の信号３が受信され従って移動電話が固定局１の範囲Ｒ内にあることを示している。基地局１１は、信号１０を受信し処理する、対応する受信手段を含む。この信号１０が基地局１１によって受信される場合、「速度１」から「速度２」への切り換えは、その中で適当なスイッチング手段１２によって実行される。従って、この速度は、移動電話７が範囲Ｒ内にある限り、通話に課金する根拠として役立つ。
【００２７】
移動電話７が範囲Ｒ外へ移動する場合、基地局１１即ちスイッチ手段１２は、速度ＩＩから速度Ｉへ再び切り換える。基地局１１は、移動電話７の瞬間位置に関する情報を、信号１０がもはや受信されないという事実から得る。この信号１０は、範囲Ｒ内に滞在中連続して送信されていてもよいし、又は、連続してクロックされていてもよい。この信号１０が到達しない場合、基地局１１は、従って、移動電話がもはや範囲Ｒ内に無いことを知っているので、速度の切り換えは行われ得る。明らかに、信号１０は、移動電話７がスイッチオフされる場合も、もはや送信されない。この場合、速度は、好ましくは移動無線速度にも切り換えられる。移動電話７が再び動作される場合、移動電話７はこの信号を受信し、基地局がより安い速度に再び切り換えることができるように信号１０を送信できる。
【００２８】
信号１０がクロック又は連続して送信されない場合、通信手段９は、移動電話７が範囲Ｒの外側へ移動するときに破線として示されるように、第３の信号１３を送信できる。この信号が基地局１１に到達する場合、速度も切り換えられる。
【００２９】
移動電話７には、ユーザが範囲Ｒ内にある場合、適当なマーカ等を介してユーザを示す表示装置１４も装備されている。
【００３０】
固定局１を動作させるために、移動電話７は、そのキーボードを介してそれにアクセスコードを加えるものとし、前記アクセスコードは受信手段４によって受信される。比較手段としても構成される受信手段４は、アクセスコードを記憶アクセスコードと比較する。固定局１は、通信する場合に動作させることができる。
【００３１】
動作させる代替モードは、固定ネットワーク接続６を介して実行できる。ネットワークオペレータは、この固定ネットワーク接続６を介して固定局１に直接アクセスできるので、関連条件が満たされる場合、動作させるこの局を選択する。さらに、固定ネットワーク接続６は悪用に対する所与の保護を提供する。それは、瞬間位置からの固定局の移動は、電源接続５の分離及び固定ネットワーク接続６の分離並びに異なる位置の固定局の再接続を必要とするからである。その後、動作させることが再び実行されねばならない。これは、このように位置の変化について知り、従って可能な悪用を検出できるネットワークオペレータによる介入を必要とする。
【図面の簡単な説明】
【図１】本発明に係るシステムの回路図及び本発明に係る固定局を示している。
【符号の説明】
１  固定局
２  送信手段
３  信号
４  受信手段
５  電源接続
６  固定ネットワーク接続
７  移動電話
８  受信装置
９  通信手段
１０  信号
１１  基地局
１２  スイッチ手段
１３  第３の信号
１４  表示装置
【図１】
0004043775.tif 000002